(57)【要約】【課題】リム通水路に臨ませて形成した洗浄水吐出口の周囲に凹凸部が形成されないようにすること。【解決手段】排泄物受け面を有するボウル部と、同ボウル部の上周縁部を周回するように形成したリム通水路とを連続した曲面に形成し、同リム通水路を通して上記排泄物受け面に洗浄水を供給するようにした水洗便器において、リム通水路に臨ませて洗浄水吐出口を形成すると共に、同洗浄水吐出口は、ボウル部と同一素材にて一体成形した。【選択図】        図２
2004156308.tif 000002
【特許請求の範囲】
【請求項１】
排泄物受け面を有するボウル部と、同ボウル部の上周縁部を周回するように形成したリム通水路とを連続した曲面に形成し、同リム通水路を通して上記排泄物受け面に洗浄水を供給するようにした水洗便器において、
リム通水路に臨ませて洗浄水吐出口を形成すると共に、同洗浄水吐出口は、ボウル部と同一素材にて一体成形したことを特徴とする水洗便器。
【請求項２】
洗浄水吐出口と、同洗浄水吐出口を通して洗浄水を供給する洗浄水供給手段と、同洗浄水供給手段と上記洗浄水吐出口との間に形成した空間とを具備し、
洗浄水供給手段より供給される洗浄水は、空間を通して洗浄水吐出口より吐出させるようにしたことを特徴とする請求項１記載の水洗便器。
【請求項３】
空間は、洗浄水供給手段側から洗浄水吐出口に向けて漸次縮径させて先細り状に形成したことを特徴とする請求項２記載の水洗便器。
【請求項４】
空間の底面を形成する底面部は、ボウル部に向かって下り傾斜面に形成したことを特徴とする請求項２又は３記載の水洗便器。
【請求項５】
空間の天井面を形成する天井面部は、ボウル部に向かって下り傾斜面に形成したことを特徴とする請求項２〜４のいずれか１項に記載の水洗便器。
【請求項６】
排泄物受け面を有するボウル部と、同ボウル部の上周縁部を周回するように形成したリム通水路と、同リム通水路に臨ませて形成した洗浄水吐出口と、同洗浄水吐出口を通して洗浄水を供給する洗浄水供給手段との間に形成した空間とを具備する水洗便器の製造方法において、
洗浄水吐出口と空間は、一側形成体と他側形成体とを突き合わせると共に、洗浄水吐出口及び空間を形成する空間形成部内に接着剤吸収性と弾性収縮性とを有する接着剤吸収体を充填して、両形成体の突き合わせ面同士を接着剤を介して接着し、
空間形成部内にはみ出した接着剤は、接着剤吸収体に吸収させると共に、洗浄水吐出口より接着吸収体を引き出しながら拭き取るようにしたことを特徴とする水洗便器の製造方法。
【発明の詳細な説明】
【０００１】
【発明の属する技術分野】
本発明は、洗浄水吐出口より洗浄水を吐出する水洗便器及び水洗便器の製造方法に関する。
【０００２】
【従来の技術】
従来、水洗便器の一形態として、排泄物受け面を有するボウル部と、同ボウル部の上周縁部を周回するように形成したリム通水路とを連続した曲面に形成し、同リム通水路に臨ませてノズル取付部を形成して、同ノズル取付部に異なる部材にて別体に構成した洗浄水噴出ノズルを嵌合させて取り付けると共に、同洗浄水噴出ノズルの先端部をリム通水路側に突出させ、同洗浄水噴出ノズルよりリム通水路を通して上記排泄物受け面に洗浄水を供給するようにしたものがある（例えば、特許文献１参照）。
【０００３】
【特許文献１】
特開２００２−１０６０４８号公報
【０００４】
【発明が解決しようとする課題】
ところが、上記した水洗便器では、ノズル取付部より洗浄水噴出ノズルの先端部を突出させて、同先端部をリム通水路に露出させているために、同先端部に飛散した排泄物や汚水等が付着し易い上に、同先端部とノズル取付部との間に形成された凹凸部に、飛散した排泄物や汚水等が侵入した場合には、清掃が煩雑になるという不具合がある。
【０００５】
【課題を解決するための手段】
そこで、本発明では、排泄物受け面を有するボウル部と、同ボウル部の上周縁部を周回するように形成したリム通水路とを連続した曲面に形成し、同リム通水路を通して上記排泄物受け面に洗浄水を供給するようにした水洗便器において、リム通水路に臨ませて洗浄水吐出口を形成すると共に、同洗浄水吐出口は、ボウル部と同一素材にて一体成形したことを特徴とする水洗便器を提供するものである。
【０００６】
また、本発明は、以下の構成にも特徴を有する。
【０００７】
（１）洗浄水吐出口と、同洗浄水吐出口を通して洗浄水を供給する洗浄水供給手段と、同洗浄水供給手段と上記洗浄水吐出口との間に形成した空間とを具備し、
洗浄水供給手段より供給される洗浄水は、空間を通して洗浄水吐出口より吐出させるようにしたこと。
【０００８】
（２）空間は、洗浄水供給手段側から洗浄水吐出口に向けて漸次縮径させて先細り状に形成したこと。
【０００９】
（３）空間の底面を形成する底面部は、ボウル部に向かって下り傾斜面に形成したこと。
【００１０】
（４）空間の天井面を形成する天井面部は、ボウル部に向かって下り傾斜面に形成したこと。
【００１１】
また、本発明では、排泄物受け面を有するボウル部と、同ボウル部の上周縁部を周回するように形成したリム通水路と、同リム通水路に臨ませて形成した洗浄水吐出口と、同洗浄水吐出口を通して洗浄水を供給する洗浄水供給手段との間に形成した空間とを具備する水洗便器の製造方法において、洗浄水吐出口と空間は、一側形成体と他側形成体とを突き合わせると共に、洗浄水吐出口及び空間を形成する空間形成部内に接着剤吸収性と弾性収縮性とを有する接着剤吸収体を充填して、両形成体の突き合わせ面同士を接着剤を介して接着し、空間形成部内にはみ出した接着剤は、接着剤吸収体に吸収させると共に、洗浄水吐出口より接着吸収体を引き出しながら拭き取るようにしたことを特徴とする水洗便器の製造方法を提供するものである。
【００１２】
【発明の実施の形態】
以下に、本発明の実施の形態について説明する。
【００１３】
すなわち、本発明に係る水洗便器は、排泄物受け面を有するボウル部と、同ボウル部の上周縁部を周回するように形成したリム通水路とを連続した曲面に形成し、同リム通水路を通して上記排泄物受け面に洗浄水を供給するようにしており、リム通水路に臨ませて洗浄水吐出口を形成すると共に、同洗浄水吐出口は、ボウル部と同一素材にて一体成形している。
【００１４】
そして、本発明に係る水洗便器は、洗浄水吐出口と、同洗浄水吐出口を通して洗浄水を供給する洗浄水供給手段と、同洗浄水供給手段と上記洗浄水吐出口との間に形成した空間とを具備し、洗浄水供給手段より供給される洗浄水は、空間を通して洗浄水吐出口より吐出させるようにしており、同空間は、洗浄水供給手段側から洗浄水吐出口に向けて漸次縮径させて先細り状に形成している。
【００１５】
しかも、空間の底面を形成する底面部は、ボウル部に向かって下り傾斜面に形成し、同空間の天井面を形成する天井面部は、ボウル部に向かって下り傾斜面に形成している。
【００１６】
また、本発明に係る水洗便器は、排泄物受け面を有するボウル部と、同ボウル部の上周縁部を周回するように形成したリム通水路と、同リム通水路に臨ませて形成した洗浄水吐出口と、同洗浄水吐出口を通して洗浄水を供給する洗浄水供給手段との間に形成した空間とを具備しており、洗浄水吐出口と空間は、一側形成体と他側形成体とを突き合わせると共に、洗浄水吐出口及び空間を形成する空間形成部内に接着剤吸収性と弾性収縮性とを有する接着剤吸収体を充填して、両形成体の突き合わせ面同士を接着剤を介して接着し、空間形成部内にはみ出した接着剤は、接着剤吸収体に吸収させると共に、洗浄水吐出口より接着吸収体を引き出しながら拭き取るようにしている。
【００１７】
【実施例】
以下に、本発明の実施例を、図面を参照しながら説明する。
【００１８】
図１は、本発明にかかる水洗便器Ａの斜視説明図であり、同水洗便器Ａは、便器本体１の後側上部に機能部としてのバルブユニット２や手動バルブ操作手段３等を配設しており、同バルブユニット２には、流入側接続部２ａに給水管４の先端部を接続する一方、第１流出側接続部２ｂにリム通水管５の基端部を接続すると共に、第２流出側接続部２ｃにゼット通水管６の基端部を接続している。７は分岐栓、８は、便器本体１に接続した排水管である。
【００１９】
便器本体１は、図２〜図７に示すように、排泄物受け面１０ａを有するボウル部１０と、同ボウル部１０の底部に連通連設したサイホントラップ部１１と、同サイホントラップ部１１の後部上方位置でかつボウル部１０の後方位置に形成した機能部設置部１２と、同機能部設置部１２の右側前方位置に形成したノズル配設部１３と、同ノズル配設部１３の前方位置に連通させて形成した空間形成部１４とを具備している。
【００２０】
そして、ボウル部１０は、図２及び図５に示すように、上周縁部に略水平に延在する環状凹部１５を形成し、同環状凹部１５の上周縁部に環状のオーバーハング部１６を介して環状のリム部１７を形成しており、上記環状凹部１５内にボウル部１０の上周縁部を周回するようにリム通水路１８を形成し、同リム通水路１８とボウル部１０の排泄物受け面１０ａとを連続した曲面に形成して、同リム通水路１８を通して上記排泄物受け面１０ａに後述する洗浄水供給手段としての洗浄水噴出ノズル１９より洗浄水（図２に示すリム洗浄水Ｗｒ）を供給するようにしている。
【００２１】
サイホントラップ部１１は、図５に示すように、基端部をボウル部１０の底部に連通連設すると共に、先端部を前記排水管８（図１参照）に接続している。
【００２２】
機能部設置部１２は、図１、図２、図５及び図６に示すように、ボウル部１０の直後方位置にて左右方向に横長の凹状に形成して、機能部としてのバルブユニット２や手動バルブ操作手段３等を設置している。
【００２３】
ノズル配設部１３は、図６〜図９に示すように、洗浄水供給手段としての洗浄水噴出ノズル１９の先端側部を取り付ける取付部２０と、洗浄水噴出ノズル１９の基端側部を支持する支持部２１とを具備して、洗浄水噴出ノズル１９を取付部２０と支持部２１との間で着脱自在に取り付け可能としている。
【００２４】
そして、取付部２０は、後述する空間形成部１４の後壁を兼用する取付壁２０ａに、洗浄水噴出ノズル１９の先端側部を取り付けるための取付孔２０ｂを形成している。
【００２５】
また、支持部２１は、上記取付孔２０ｂと対向する前後方向と上方とが開口したＵ字状の支持用凹面２１ａと、同支持用凹面２１ａの左右側上端より左右外側方へ延設した支持用天井面２１ｂ，２１ｂとを形成している。２１ｃは底面である。
【００２６】
ここで、洗浄水噴出ノズル１９について説明すると、同洗浄水噴出ノズル１９は、図７、図９及び図１０に示すように、前後方向に伸延するノズル本体１９ａの先端側部（前端周縁部）に、前記取付部２０の取付孔２０ｂの周縁部に当接する先端側当接フランジ部１９ｂを設け、同先端側当接フランジ部１９ｂの直後方に位置するノズル本体１９ａの部分に空気取入部１９ｃを設け、同空気取入部１９ｃの直後方に位置するノズル本体１９ａの外周面の部分に筒状の雌ネジ部１９ｄを螺着している。
【００２７】
そして、筒状の雌ネジ部１９ｄの前端周縁部には基端側当接フランジ部１９ｅを形成する一方、同雌ネジ部１９ｄの後端縁部には正面視正六角形の回動操作面部１９ｆを形成している。
【００２８】
また、ノズル本体１９ａの先端部には、案内用筒体２２を着脱自在に接続するようにしており、同案内用筒体２２の基端部周面にはリング状のパッキン２３を嵌合すると共に、同パッキン２３を、案内用筒体２２の基端部外周面に形成した鍔状係止片２２ａに係止する一方、ノズル本体１９ａの基端部には、前記したリム通水管５の先端部を着脱自在に接続している。
【００２９】
空気取入部１９ｃには、逆止弁２６を介して吸気管２４を接続するようにしており、同吸気管２４の先端開口部２４ａから外気をエジェクタ効果によりノズル本体１９ａ内に吸気して、同ノズル本体１９ａより空気混じりのリム洗浄水Ｗｒを噴出することができるようにしている。
【００３０】
このようにして、ノズル本体１９ａから噴出するリム洗浄水Ｗｒ中に多数の気泡を分散・混入させて気泡流を形成するようにしており、同気泡流は、固体表面に衝突する際の水跳ねや騒音が少なく、固体表面に衝突する際に発生する高周波振動により高い洗浄力を有する。従って、水洗便器Ａの静粛性と便器洗浄力を高めることができる。
【００３１】
また、図７、図９及び図１０中、２５はノズル支持用ブラケットであり、同ノズル支持用ブラケット２５は、前記したＵ字状の支持用凹面２１ａと符合するＵ字状凹部２５ａを有するブラケット本体２５ｂと、同ブラケット本体２５ｂの左右側上端部に連設して、前記した支持用天井面２１ｂ，２１ｂに係止するための上部係止片２５ｃ，２５ｃと、支持部２１の底面２１ｃに係止するための下部係止片２５ｄとを具備している。
【００３２】
次に、上記のように構成した洗浄水噴出ノズル１９を取り付ける手順について、図７及び図９を参照しながら説明する。
【００３３】
（１）取付孔２０ｂ中に案内用筒体２２を後方から挿通し、同案内用筒体２２の基端部周面に嵌合したリング状のパッキン２３を取付孔２０ｂの周縁部に当接させる。
【００３４】
（２）案内用筒体２２の後端部に洗浄水噴出ノズル１９の先端開口部を接続すると共に、先端側当接フランジ部１９ｂを上記パッキン２３に当接させる。
【００３５】
（３）ノズル支持用ブラケット２５のＵ字状凹部２５ａを支持用凹面２１ａに符合させ、上部係止片２５ｃ，２５ｃを支持用天井面２１ｂ，２１ｂに係止すると共に、下部係止片２５ｄを支持部２１の底面２１ｃに係止する。
【００３６】
（４）Ｕ字状凹部２５ａと支持用凹面２１ａに洗浄水噴出ノズル１９の雌ネジ部１９ｄを嵌合・載置する。
【００３７】
（５）回動操作面部１９ｆを介して雌ネジ部１９ｄを回動させることにより、同雌ネジ部１９ｄを後方へ後退移動させて、基端側当接フランジ部１９ｅをノズル支持用ブラケット２５のブラケット本体２５ｂに押圧状態に当接させる。
【００３８】
このようにして、先端側当接フランジ部１９ｂをパッキン２３を介して取付孔２０ｂの周縁部に押圧状態に当接させると共に、基端側当接フランジ部１９ｅをノズル支持用ブラケット２５のブラケット本体２５ｂを介して支持部２１の前端面に押圧状態に当接させることにより、洗浄水噴出ノズル１９を取付部２０と支持部２１との間に簡単に取り付けることができて、同洗浄水噴出ノズル１９の取付作業を楽に行うことができる。
【００３９】
この際、洗浄水噴出ノズル１９は、先端側当接フランジ部１９ｂをパッキン２３に押圧状態に当接させることができるため、取付強度や水密性を良好に確保することができる。
【００４０】
また、上記とは反対の手順をたどることにより洗浄水噴出ノズル１９を簡単に取り外すことができて、メンテナンス作業を楽に行うことができる。
【００４１】
前記した空間形成部１４は、図６〜図９及び図１１に示すように、環状凹部１５と連続する左側面部１４ａと、環状凹部１５の一部を形成する右側面部１４ｂと、底面部１４ｃと、天井面部１４ｄと、後壁としての前記取付壁２０ａとから内部に空間Ｓを形成すると共に、前部に洗浄水吐出口３０をリム通水路１８に臨ませて形成している。
【００４２】
このようにして、洗浄水噴出ノズル１９より供給されるリム洗浄水Ｗｒを、空間Ｓを通して洗浄水吐出口３０よりリム通水路１８に吐出させるようにしているため、空間Ｓを介して洗浄水吐出口３０と洗浄水噴出ノズル１９との間に一定の離隔した間隔を設けることができて、洗浄水吐出口３０から飛散した排泄物や汚水等が空間Ｓ内に侵入した場合でも、洗浄水噴出ノズル１９には上記汚水等が付着しないようにすることができる。
【００４３】
そして、空間Ｓ内に侵入した汚水等は、洗浄水噴出ノズル１９によりリム洗浄水Ｗｒを空間Ｓを通して洗浄水吐出口３０から吐出させた際に、空間Ｓ内から洗浄水吐出口３０を通して洗い出されるため、これらの汚水等が空間Ｓ内に滞留するのを防止することができる。
【００４４】
また、空間Ｓは、洗浄水噴出ノズル１９側、すなわち、取付壁２０ａから洗浄水吐出口３０に向けて漸次縮径させて先細り状に形成している。
【００４５】
このようにして、空間Ｓを洗浄水噴出ノズル１９側から洗浄水吐出口３０に向けて漸次縮径させて先細り状に形成しているため、洗浄水噴出ノズル１９から吐出されたリム洗浄水Ｗｒの圧力損失を小さくすることができると共に、かかるリム洗浄水Ｗｒは、空間Ｓを形成する側壁に沿って洗浄水吐出口３０に誘導されて、同洗浄水吐出口３０から円滑に吐出される。
【００４６】
この際、漸次縮径されて先細り状に形成された空間Ｓには、洗浄水噴出ノズル１９から供給されたリム洗浄水Ｗｒの量が、洗浄水吐出口３０から吐出される量よりも多いため、同空間Ｓ内にリム洗浄水Ｗｒが滞留して満水状態となる。
【００４７】
その結果、▲１▼空間Ｓ内に排泄物や汚水等が侵入するのを確実に防止することができ、▲２▼洗浄水吐出口３０から吐出されるリム洗浄水Ｗｒを整流化することができ、▲３▼空間Ｓ内への空気の巻き込みを防止することができて、雑音の発生を防止することができ、▲４▼洗浄水吐出口３０の周囲を洗剤等を使用して清掃した場合でも、洗剤が洗浄水噴出ノズル１９に付着するのを回避することができて、同洗浄水噴出ノズル１９の変色等の薬品汚染を防止することができる。
【００４８】
また、洗浄水噴出ノズル１９は、洗浄水吐出口３０から空間Ｓを介して離隔した所望の位置に配置することができるため、同洗浄水噴出ノズル１９を取付作業やメンテナンスを行い易い位置に配置することにより、同洗浄水噴出ノズル１９の取付作業性やメンテナンス性を良好に確保することができる。
【００４９】
また、空間Ｓの底面を形成する底面部１４ｃは、ボウル部１０に向かって下り傾斜面に形成し、また、空間Ｓの天井面を形成する天井面部１４ｄは、ボウル部１０に向かって下り傾斜面に形成している。
【００５０】
このようにして、空間Ｓの底面を形成する底面部１４ｃを、ボウル部１０に向かって下り傾斜面に形成して、水勾配を設けているため、洗浄水噴出ノズル１９から吐出されたリム洗浄水Ｗｒは、水勾配を有する底面部１４ｃに沿って洗浄水吐出口３０に誘導されて、同洗浄水吐出口３０から円滑に吐出される。
【００５１】
また、洗浄水噴出ノズル１９からリム洗浄水Ｗｒを供給していない時には、空間Ｓ内のリム洗浄水Ｗｒは底面部１４ｃに沿って洗浄水吐出口３０からボウル部１０内に流出されて、空間Ｓ内に滞留しないようにすることができる。
【００５２】
そして、空間Ｓの天井面を形成する天井面部１４ｄを、ボウル部１０に向かって下り傾斜面に形成しているため、洗浄水噴出ノズル１９から吐出されたリム洗浄水Ｗｒは、傾斜面を有する天井面部１４ｄに沿って洗浄水吐出口３０に誘導されて、同洗浄水吐出口３０から円滑に吐出される。
【００５３】
また、洗浄水吐出口３０は、図６に示すように、ボウル部１０の上面開口部３１に形成されている右側の最大短径部３２の近傍位置に配置している。
【００５４】
このようにして、洗浄水吐出口３０をボウル部１０の直線形状に近いところに配置して、吐水後のリム洗浄水Ｗｒが直ちにボウル部１０の曲面部分に当たらないようにして、ボウル部１０外へのリム洗浄水Ｗｒの飛散を抑制しつつ洗浄機能を良好に確保することができるようにしている。
【００５５】
しかも、洗浄水吐出口３０から吐出されたリム洗浄水Ｗｒが、環状凹部１５に沿って旋回した際に、同洗浄水吐出口３０に逆流しないようにすることができる。
【００５６】
なお、最大短径部３２とは、平面形状が卵形をした上面開口部３１の左右方向の横幅の内径が最も大きい部分をいう。
【００５７】
上記のように構成した洗浄水吐出口３０から吐出される洗浄水であるリム洗浄水Ｗｒは、図２に白抜き矢印で示すように、環状凹部１５に沿って上方から見て反時計廻りに流れ、同環状凹部１５から下方へ流下し、排泄物受け面１０ａ上を徐々に下降しかつ複数の枝流に分岐しながら流れ、環状凹部１５を含む排泄物受け面１０ａを一回以上旋回した後、ボウル部１０の底部に貯留させた溜水（図示せず）に到達する。
【００５８】
この際、リム洗浄水Ｗｒにより排泄物受け面１０ａに付着している汚物が洗い流される。そして、リム洗浄水Ｗｒが溜水に合流することにより、溜水が反時計廻りに旋回され、旋回する溜水は、汚物と共にサイホントラップ部１１へ流入する。
【００５９】
また、リム洗浄水Ｗｒが溜水に到達した後、バルブユニット２が駆動してリム通水管５への流入と停止させ、洗浄水をゼット通水管６へ流入させるようにしており、同ゼット通水管６に流入した洗浄水は、ボウル部１０の底部に形成したゼット吐水口４５（図５参照）からサイホントラップ部１１に向けてゼット洗浄水Ｗｚとして吐出され、同ゼット洗浄水Ｗｚは溜水を連行してサイホントラップ部１１へ流入する。
【００６０】
このように、リム洗浄水Ｗｒが合流した溜水とゼット洗浄水Ｗｚとがサイホントラップ部１１へ流入することにより、サイホントラップ部１１が満水状態となり、サイホン現象が発現して、ボウル部１０内の汚水と汚物とが一気にサイホントラップ部１１を通って排出管８へ排出される。
【００６１】
そして、ボウル部１０が空になった後、バルブユニット２が駆動して、ゼット通水管６への洗浄水の流入を停止させると共に、洗浄水をリム通水管５へ流入させて、洗浄水吐出口３０から吐出されたリム洗浄水Ｗｒがボウル部１０の底部に溜水を形成する。
【００６２】
さらに、溜水が形成された後に、バルブユニット２が駆動してリム通水管５への洗浄水の流入を停止させて、便器洗浄を終了する。
【００６３】
また、洗浄水吐出口３０と空間Ｓは、ボウル部１０と同一素材（粘土質）にて一体成形しており、以下にかかる洗浄水吐出口３０と空間Ｓを具備する陶器製の便器本体１の製造方法について、図３、図４、図８、図９、図１１及び図１２を参照しながら説明する。
【００６４】
すなわち、洗浄水吐出口３０と空間Ｓは、一側形成体としての上部形成体４０と、他側形成体としての下部形成体４１とを上下方向に突き合わせて、同状態にて釉薬を塗布して一体的に焼成するようにしている。
【００６５】
この際、図１２（ａ）（ｂ）に示すように、洗浄水吐出口３０及び空間Ｓを形成する空間形成部１４内に接着剤吸収性と弾性収縮性とを有するスポンジ等の接着剤吸収体４２を充填して、両形成体４０，４１の突き合わせ面４０ａ，４１ａ同士を接着剤としての接着泥しょう４３を介して接着する。
【００６６】
そして、図１２（ｃ）（ｄ）に示すように、空間形成部１４内にはみ出した接着泥しょう４３は、接着剤吸収体４２に吸収させる。
【００６７】
続いて、図１２（ｅ）（ｆ）に示すように、洗浄水吐出口３０より接着剤吸収体４２を引き出しながら空間形成部１４内にはみ出した接着泥しょう４３を拭き取る。
【００６８】
このようにして、洗浄水吐出口３０と空間Ｓを形成する空間形成部１４内に、接着剤吸収体４２を充填しておくことにより、上部形成体４０と下部形成体４１の突き合わせ面４０ａ，４１ａ同士を接着泥しょう４３により接着した際に、同接着泥しょう４３が空間形成部１４内にはみ出した場合でも、このはみ出した接着泥しょう４３は接着剤吸収体４２に吸収させると共に、同接着剤吸収体４２を洗浄水吐出口３０から引き出しながら拭き取ることができるようにしているため、空間形成部１４の接着部分の内周面を滑らかに形成することができる。
【００６９】
従って、空間形成部１４内の空間Ｓを通して流れるリム洗浄水Ｗｒは、乱されることなく整流された状態にて洗浄水吐出口３０からリム通水路１８に吐出されることになり、かかるリム洗浄水Ｗｒによりボウル部１０の排泄物受け面１０ａを確実に洗浄することができる。
【００７０】
【発明の効果】
（１）請求項１記載の本発明では、排泄物受け面を有するボウル部と、同ボウル部の上周縁部を周回するように形成したリム通水路とを連続した曲面に形成し、同リム通水路を通して上記排泄物受け面に洗浄水を供給するようにした水洗便器において、リム通水路に臨ませて洗浄水吐出口を形成すると共に、同洗浄水吐出口は、ボウル部と同一素材にて一体成形している。
【００７１】
このようにして、リム通水路に臨ませて形成した洗浄水吐出口を、ボウル部と同一素材にて一体成形することにより、同洗浄水吐出口の周囲に凹凸部が形成されないようにすることができる。
【００７２】
そのため、飛散した排泄物や汚水等が洗浄水吐出口に付着した場合には、同洗浄水吐出口より洗浄水が吐出された際に、これらの汚水等は洗い落とされ、また、飛散した排泄物や汚水等が洗浄水吐出口の周囲に付着した場合には、これらの汚水等を清掃具等により簡単に清掃することができる。
【００７３】
（２）請求項２記載の本発明では、洗浄水吐出口と、同洗浄水吐出口を通して洗浄水を供給する洗浄水供給手段と、同洗浄水供給手段と上記洗浄水吐出口との間に形成した空間とを具備し、洗浄水供給手段より供給される洗浄水は、空間を通して洗浄水吐出口より吐出させるようにしている。
【００７４】
このようにして、洗浄水供給手段より供給される洗浄水を、空間を通して洗浄水吐出口より吐出させるようにしているため、空間を介して洗浄水吐出口と洗浄水供給手段との間に一定の離隔した間隔を設けることができて、洗浄水吐出口から飛散した排泄物や汚水等が空間内に侵入した場合でも、洗浄水供給手段には上記汚水等が付着しないようにすることができる。
【００７５】
そして、空間内に侵入した汚水等は、洗浄水供給手段により洗浄水を空間を通して洗浄水吐出口から吐出させた際に、空間内から洗浄水吐出口を通して洗い出されるため、これらの汚水等が空間内に滞留するのを防止することができる。
【００７６】
（３）請求項３記載の本発明では、空間は、洗浄水供給手段側から洗浄水吐出口に向けて漸次縮径させて先細り状に形成している。
【００７７】
このようにして、空間を洗浄水供給手段側から洗浄水吐出口に向けて漸次縮径させて先細り状に形成しているため、洗浄水供給手段から吐出された洗浄水の圧力損失を小さくすることができると共に、かかる洗浄水は、空間を形成する側壁に沿って洗浄水吐出口に誘導されて、同洗浄水吐出口から円滑に吐出される。
【００７８】
この際、漸次縮径され手先細り状に形成された空間には、洗浄水供給手段から供給された洗浄水の量が、洗浄水吐出口から吐出される量よりも多いため、同空間内に洗浄水が滞留して満水状態となる。
【００７９】
その結果、▲１▼空間内に排泄物や汚水等が侵入するのを確実に防止することができ、▲２▼洗浄水吐出口から吐出される洗浄水を整流化することができ、▲３▼空間内への空気の巻き込みを防止することができて、雑音の発生を防止することができ、▲４▼洗浄水吐出口の周囲を洗剤等を使用して清掃した場合でも、洗剤が洗浄水供給手段に付着するのを回避することができて、同洗浄水供給手段の変色等の薬品汚染を防止することができる。
【００８０】
また、洗浄水供給手段は、洗浄水吐出口から空間を介して離隔した所望の位置に配置することができるため、同洗浄水供給手段を取付作業やメンテナンスを行い易い位置に配置することにより、同洗浄水供給手段の取付作業性やメンテナンス性を良好に確保することができる。
【００８１】
（４）請求項４記載の本発明では、空間の底面を形成する底面部は、ボウル部に向かって下り傾斜面に形成している。
【００８２】
このようにして、空間の底面を形成する底面部を、ボウル部に向かって下り傾斜面に形成して、水勾配を設けているため、洗浄水供給手段から吐出された洗浄水は、水勾配を有する底面部に沿って洗浄水吐出口に誘導されて、同洗浄水吐出口から円滑に吐出される。
【００８３】
また、洗浄水供給手段から洗浄水を供給していない時には、空間内の洗浄水は底面部に沿って洗浄水吐出口からボウル部内に流出されて、空間内に滞留しないようにすることができる。
【００８４】
（５）請求項５記載の本発明では、空間の天井面を形成する天井面部は、ボウル部に向かって下り傾斜面に形成している。
【００８５】
このようにして、空間の天井面を形成する天井面部を、ボウル部に向かって下り傾斜面に形成しているため、洗浄水供給手段から吐出された洗浄水は、傾斜面を有する天井面部に沿って洗浄水吐出口に誘導されて、同洗浄水吐出口から円滑に吐出される。
【００８６】
（６）請求項６記載の本発明では、排泄物受け面を有するボウル部と、同ボウル部の上周縁部を周回するように形成したリム通水路と、同リム通水路に臨ませて形成した洗浄水吐出口と、同洗浄水吐出口を通して洗浄水を供給する洗浄水供給手段との間に形成した空間とを具備する水洗便器の製造方法において、洗浄水吐出口と空間は、一側形成体と他側形成体とを突き合わせると共に、洗浄水吐出口及び空間を形成する空間形成部内に接着剤吸収性と弾性収縮性とを有する接着剤吸収体を充填して、両形成体の突き合わせ面同士を接着剤を介して接着し、空間形成部内にはみ出した接着剤は、接着剤吸収体に吸収させると共に、洗浄水吐出口より接着吸収体を引き出しながら拭き取るようにしている。
【００８７】
このようにして、洗浄水吐出口と空間を形成する空間形成部内に、接着剤吸収体を充填しておくことにより、一側形成体と他側形成体の突き合わせ面同士を接着剤により接着した際に、同接着剤が空間形成部内にはみ出した場合でも、このはみ出した接着剤は接着剤吸収体に吸収させると共に、同接着剤吸収体を洗浄水吐出口から引き出しながら拭き取ることができるようにしているため、空間形成部の接着部分の内周面を滑らかに形成することができる。
【００８８】
従って、空間形成部内の空間を通して流れる洗浄水は、乱されることなく整流された状態にて洗浄水吐出口からリム通水路に吐出されることになり、かかる洗浄水によりボウル部の排泄物受け面を確実に洗浄することができる。
【図面の簡単な説明】
【図１】
本発明にかかる水洗便器の斜視説明図。
【図２】
便器本体の斜視説明図。
【図３】
同便器本体の側面図。
【図４】
同便器本体の正面図。
【図５】
同便器本体の断面側面図。
【図６】
同便器本体の平面図。
【図７】
ノズル配設部と空間形成部の断面平面図。
【図８】
同ノズル配設部と空間形成部の断面側面図。
【図９】
洗浄水噴出ノズル取付状態でのノズル配設部と空間形成部の断面側面図。
【図１０】
洗浄水噴出ノズルの斜視説明図。
【図１１】
洗浄水吐出口の断面正面図。
【図１２】
空間形成部の製造工程説明図。
【符号の説明】
Ａ  水洗便器
１  便器本体
２  バルブユニット
３  手動バルブ操作手段
４  給水管
５  リム通水管
６  ゼット通水管
【図１】
2004156308.tif 000003
【図２】
2004156308.tif 000004
【図３】
2004156308.tif 000005
【図４】
2004156308.tif 000006
【図５】
2004156308.tif 000007
【図６】
2004156308.tif 000008
【図７】
2004156308.tif 000009
【図８】
2004156308.tif 000010
【図９】
2004156308.tif 000011
【図１０】
2004156308.tif 000012
【図１１】
2004156308.tif 000013
【図１２】
2004156308.tif 000014